(57)【要約】【課題】携帯型心電計測装置において、不整脈や虚血性心疾患などのイベント発生時の使い勝手を良くし、かつ複数種類の心電図の測定を可能とする。【解決手段】身体の一部に周回して固定するためのバンド２ａ、及びバンド２ａの周回時に外側となる面に設けられた略直方体の形状の装置本体２を備えた携帯自在な心電計測装置である。バンド２ａは、周回したとき固定する面ファスナ２ｂ，２ｃ、及び、バンド２ａの周回時に内側となる面に設けられて装置本体２の内部に納められた測定回路形に電気的に接続された第１の電極３を備える。装置本体２は、バンド２ａとは反対側の面に設けた第２の電極４及び第３の電極６、これらの電極３，４，６を身体に接触させて測定した心起電力のデータに基づき心疾患の診断に利用可能な波形特徴パラメータを抽出する解析部、解析部によって抽出された波形特徴パラメータを表示する表示部７、及び、測定開始ボタン８を備える。【選択図】図１
2007195693.tif 000002
【特許請求の範囲】
【請求項１】
携帯自在な携帯型心電計測装置において、
身体の一部に周回して固定するためのバンドと、
前記バンドの周回時に内側となる面に設けられた第１の電極と、
前記バンドの周回時に外側となる面に設けられた装置本体と、
前記装置本体の前記バンドとは反対側の面に設けられた第２の電極及び第３の電極と、
前記第１乃至第３の電極を身体に接触させることによって測定された心起電力のデータに基づき心疾患の診断に利用可能な波形特徴パラメータを抽出する解析部と、
前記解析部によって抽出された波形特徴パラメータを表示する表示部と、を備えることを特徴とする携帯型心電計測装置。
【請求項２】
前記バンドは伸縮性を有し、当該バンドを身体の一部に周回して固定したとき前記第１の電極が前記バンドの伸縮性により身体の一部に押圧されて固定されることを特徴とする請求項１に記載の携帯型心電計測装置。
【請求項３】
前記バンドは袋状であり、その袋の内部に流体袋を有し、前記第１の電極が前記バンドを身体の一部に周回した状態で前記流体袋に流体を送り込むことにより流体袋の膨張力によって身体の一部に押圧されて固定されることを特徴とする請求項１又は請求項２に記載の携帯型心電計測装置。
【請求項４】
前記バンドは袋状であり、その袋の内部に流体袋を有し、前記第１の電極が、流体袋に流体を送り込むことによる膨張力により身体の一部に所定の押圧力により固定されるとともに身体内部の動脈から脈波情報を検出することを特徴とする請求項１乃至請求項３のいずれかに記載の携帯型心電計測装置。
【請求項５】
前記流体袋の流体を一定速度の圧力変化で加圧又は減圧させることにより動脈から脈波情報を採取し、血圧を測定することを特徴とする請求項４に記載の携帯型心電計測装置。
【請求項６】
前記解析部は前記心起電力のデータと前記脈波情報に基づき脈波伝播時間を算出することを特徴とする請求項５に記載の携帯型心電計測装置。
【発明の詳細な説明】
【技術分野】
【０００１】
本発明は、携帯型心電計測装置に関する。
【背景技術】
【０００２】
従来、被験者の心臓の活動によって生じる心起電力の時間変化である心電波形を計測する心電計測装置には、１２誘導型心電計とホルター心電計がある。前者の、１２誘導型心電計は、医療機関において古くから使用されており、四肢に４つ、胸部に６つの合計１０個の電極（四肢電極と胸部電極）を装着し、所定の１２対の電極間の電位差を時間の関数、すなわち心電波形（心電図）として測定し記録する装置である。後者の、ホルター心電計は、電極を身体に装着したまま２４時間連続で心電波形を計測できるようにしたものである。なお、心電図を測定し記録する方法は誘導法とも呼ばれる。さらに、得られた電圧波形データ、すなわち心電図そのものを誘導ということがあり、以下では、心電図が、電極対の選択の仕方などに基づく区別により何々誘導などと呼ばれることがある。
【０００３】
また、心電図は、通常、心臓から距離的に遠い部位（四肢など）や電気的に電位が小さく安定した部位に装着した電極（不関電極、遠隔電極）を基準として心起電力の影響を強く受けるような心臓の近くに装着した他の電極（関電極、近接電極）の電位を記録する単極誘導と、同程度に心起電力の影響を受ける部位に装着した電極間の電位差を記録する双極誘導とに分類される。
【０００４】
上述の１２誘導型心電計によって得られる１２の心電図には、四肢電極を用いた四肢誘導である、左右の手首間の電位を計測する第１誘導、右手と左足首の電位を計測する第２誘導、左手と左足首の電位を計測する第３誘導（これらは双極誘導）、左手と左足首を不関電極としたａＶＲ誘導、右手と左足首を不関電極としたａＶＬ誘導、右手と左手を不関電極としたａＶＦ誘導（これらは単極誘導）があり、胸部電極を用いた胸部誘導である、関電極を配置する胸部の場所によって決められた６つのＶ１〜Ｖ６誘導（これらは単極誘導）がある。これらの計測方法は国際的にも取り決められて、医療分野で広く用いられているものである。
【０００５】
心電波形は、図１１に示すように、心房放電状態を表すＰ波、心室放電状態を表すＱＲＳ波、心室充電状態を表すＴ波、及びＵ波がある。これらの波形から、波形の幅、基線に対する各波の高さ、心拍間隔であるＲ−Ｒ間隔などの波形特徴パラメータが抽出される。これらの波形特徴パラメータは、各種不整脈、虚血性心疾患などの診断に利用される。
【０００６】
ところで、上述の１２誘導型心電計やホルター心電計などを用いて、被験者の安静時の限られた測定時間内に測定しても、計測されるべき不整脈が発生しない場合がある。そのため、本人の胸部の痛みが発生したときに、本人が心電図を計測することができる、いわゆるイベント型の心電計が近年注目されている。
【０００７】
そこで、図１２に示すように、本体９０の表面に第１電極９１、第２電極９２、及びＧＮＤ電極９３を備え、被験者が、第１電極９１とＧＮＤ電極９３を右手で掴み、第２電極９２を被験者の身体表面、例えば、胸部の所定の位置に当てることにより胸部誘導を計測するようにしたイベント型心電計が知られている（例えば、特許文献１参照）。
【０００８】
また、ペンダント型の本体の左右に伸びるアームの、所定の距離だけ離した左右端に第１及び第２の電極を備え、さらに本体の所定の他の位置に第３の電極を備えて、胸部痛などのイベント発生時に、その本体を胸部に押し当てることにより胸部誘導を捉えるようにしたイベント型心電計が知られている（例えば、特許文献２参照）。
【特許文献１】特開２００３−１４４４０３号公報
【特許文献２】特開２００４−２０９０２４号公報
【発明の開示】
【発明が解決しようとする課題】
【０００９】
しかしながら、上述した図１１や特許文献１，２に示されるような従来のイベント型心電計は、上述した１２誘導型心電計で計測されるように分類された誘導（心電図）を個別に１つしか捉えることができないという問題がある。
【００１０】
一般に、心臓の活動電位は、図１３に示すように、３次元ベクトルであって心起電力ベクトルと呼ばれるものであり、前後、左右、上下の成分を含んでいる。そこで、上述したような、心起電力による各誘導は、３次元の心起電力ベクトルを１次元に投影したものと考えることができる。従って、各誘導にはそれぞれ異なる特性がある。第１誘導は心臓を左から見た誘導であって、主に左心室の側壁の情報を含む。第２誘導は心臓を心尖部からみた誘導であり、第３誘導は心臓を左足からみた誘導であって、右心室側面と左心室下壁の情報を含んでいる。また、ａＶＲ、ａＶＬ、ａＶＦは、それぞれ右肩、左肩、及び真下から心臓の電気ベクトルを見た誘導である。
【００１１】
また、胸部誘導は、身体が直立した状態の心臓を、電極を装着した位置で水平に切った断面に投影した誘導でＶ１は右室、Ｖ２は右室と左室前壁、Ｖ３，Ｖ４は心室中隔と左室前壁、Ｖ５は左室前壁と側壁、Ｖ６は左室側壁を見る誘導である。そして、胸部誘導の情報では３次元ベクトルの上下成分が得られず、同様に、四肢誘導の情報では、前後成分が得られない。
【００１２】
そして、上述したような従来のイベント型心電計は、胸部誘導の情報しか捉えていないので、３次元ベクトルの前後、左右成分は含んでいるものの、上下成分を含んでいない。３誘導を用いた診断と１２誘導を用いた診断の一致率は、１誘導と１２誘導の場合の一致率に比べて高いという結果が出ている。従って、心臓の機能をより詳細に診断するには、従来の胸部誘導の情報しか捉えていない方式では十分でないという問題がある。
【００１３】
従来のイベント型心電計によって複数種類の誘導の情報を得る場合、電極の当てる位置を順番に変える方式が用いられる。しかしながら、複数の誘導が同時に得られないので、測定中に心臓の状態が急激に変わる場合に正確な診断ができないという問題がある。また、一般に、１誘導あたりの測定時間として約３０秒間必要なので、３誘導の情報を捉えるには９０秒間の測定が必要であり、被験者に苦痛が伴うという問題がある。
【００１４】
また、ホルター心電計は、複数の誘導を同時に計測できるものの、電極を身体に貼り付けたまま日常生活を送る必要があって被験者にとってわずらわしく、また、電極が外れたりして測定がうまく行かないことがある。
【００１５】
本発明は、上記課題を解消するものであって、不整脈や虚血性心疾患などのイベント発生時の使い勝手が良く、かつ複数種類の心電図の測定を実現できる携帯型心電計測装置を提供することを目的とする。
【課題を解決するための手段】
【００１６】
上記課題を達成するために、請求項１の発明は、携帯自在な携帯型心電計測装置において、身体の一部に周回して固定するためのバンドと、前記バンドの周回時に内側となる面に設けられた第１の電極と、前記バンドの周回時に外側となる面に設けられた装置本体と、前記装置本体の前記バンドとは反対側の面に設けられた第２の電極及び第３の電極と、前記第１乃至第３の電極を身体に接触させることによって測定された心起電力のデータに基づき心疾患の診断に利用可能な波形特徴パラメータを抽出する解析部と、前記解析部によって抽出された波形特徴パラメータを表示する表示部と、を備えるものである。
【００１７】
請求項２の発明は、請求項１に記載の携帯型心電計測装置において、前記バンドは伸縮性を有し、当該バンドを身体の一部に周回して固定したとき前記第１の電極が前記バンドの伸縮性により身体の一部に押圧されて固定されるものである。
【００１８】
請求項３の発明は、請求項１又は請求項２に記載の携帯型心電計測装置において、前記バンドは袋状であり、その袋の内部に流体袋を有し、前記第１の電極が前記バンドを身体の一部に周回した状態で前記流体袋に流体を送り込むことにより流体袋の膨張力によって身体の一部に押圧されて固定されるものである。
【００１９】
請求項４の発明は、請求項１乃至請求項３のいずれかに記載の携帯型心電計測装置において、前記バンドは袋状であり、その袋の内部に流体袋を有し、前記第１の電極が、流体袋に流体を送り込むことによる膨張力により身体の一部に所定の押圧力により固定されるとともに身体内部の動脈から脈波情報を検出するものである。
【００２０】
請求項５の発明は、請求項４に記載の携帯型心電計測装置において、前記流体袋の流体を一定速度の圧力変化で加圧又は減圧させることにより動脈から脈波情報を採取し、血圧を測定するものである。
【００２１】
請求項６の発明は、請求項５に記載の携帯型心電計測装置において、前記解析部は前記心起電力のデータと前記脈波情報に基づき脈波伝播時間を算出するものである。
【発明の効果】
【００２２】
請求項１の発明によれば、バンドに第１の電極と装置本体を設けたので、携帯型心電計測装置の身体への装着が容易であり、第１の電極の身体への接触部のずれを防止でき、より確実な測定ができる。また、バンドを用いて装置本体を装着固定するので、装置保持のための余分な力に起因する筋起電力によるノイズ発生が抑えられてノイズの少ない信号が得られる。バンドを手首に周回させることにより、第１の電極を四肢電極とし、その手首によって装置本体、従って、第１及び第２の電極を胸部に押し当ててこれらの電極を胸部電極とすることによって、複数の誘導（複数種類の心電図）を同時に容易に測定することができるので、従来の１誘導を用いる場合よりも心機能の診断をより正確に行うことができる。
【００２３】
また、複数の誘導を同時に捉えることができるので、電極の位置を変えて時間をかけて１誘導ずつ複数回測定する必要がなく、不整脈や虚血性心疾患などのイベント発生時の測定において被験者にとって測定時の苦痛がなく使い勝手のよい携帯型心電計測装置を提供できる。また、複数の誘導が同時に得られるので、測定中に心臓の状態が急激に変わる場合においても、従来の１誘導式に比べて、不整脈、心疾患のなどの診断により精度を向上して対応できる。また、心起電力のデータに基づき心疾患の診断に利用可能な波形特徴パラメータを抽出し表示するので、被験者や介添え者がその表示を見て容易に自己診断できる。
【００２４】
請求項２の発明によれば、バンドの伸縮性によって携帯型心電計測装置の装着が簡便になるとともに第１の電極の身体への固定がより確実になり、ノイズの少ない心電図が得られる。
【００２５】
請求項３の発明によれば、第１の電極の固定に空気袋を用いるので、身体への固定がより確実になり、また、測定中に余分な筋起電力の発生するような力が入らないので、よりノイズの少ない信号が得られる。
【００２６】
請求項４の発明によれば、心臓の電気活動を表す心電波形の情報を得ると共に動脈の脈波情報を同時に得ることができ、心機能をより一層詳細に診断することができる。
【００２７】
請求項５の発明によれば、心臓の電気活動を表す心電波形の情報を得ると共に血圧を測定することができ、心機能をより一層詳細に診断することができる。
【００２８】
請求項６の発明によれば、動脈の硬さを表す指標としての脈波伝播時間を測定することができるので、心機能及び動脈硬さ情報を含めて、血管特性を総合的に判断し、循環機能診断を行うことができる。
【発明を実施するための最良の形態】
【００２９】
以下、本発明の各実施形態に係る携帯型心電計測装置について、図面を参照して説明する。
【００３０】
（第１の実施形態）
図１（ａ）〜（ｃ）は本発明の第１の実施形態に係る携帯型心電計測装置１の外観を示し、図２は同装置１のの回路ブロックを示し、図３、図４は同装置の使用方法と使用状態を示す。携帯型心電計測装置１は、身体の一部、例えば、腕に周回して固定するためのバンド２ａと、バンド２ａの周回時に外側となる面に設けられた略直方体の形状の装置本体２と、を備えた携帯自在な心電計測装置である。
【００３１】
バンド２ａは、さらに、バンド２ａの周回時に内側となる面に設けられた第１の電極３と、バンド２ａを周回したときに互いに係合してバンド２ａを固定する面ファスナ２ｂ，２ｃとを備えている。バンド２ａは、腕などに周回し、固定するための伸縮性の高いウレタンゴムなどで構成されている。第１の電極３は、バンド２ａに接着などによって固定されると共に、装置本体２の内部に納められた測定回路形に電気的に接続されている。
【００３２】
装置本体２は、装置本体２のバンド２ａとは反対側の面に設けられた第２の電極４及び第３の電極６と、第１乃至第３の電極３，４，６を身体に接触させることによって測定された心起電力のデータに基づき心疾患の診断に利用可能な波形特徴パラメータを抽出する解析部１４（図２）と、解析部１４によって抽出された波形特徴パラメータを表示する表示部７と、測定開始ボタン８と、備えている。第３の電極６は、グランド電極とされるので、以下ではＧＮＤ電極６と称する。
【００３３】
装置本体２の内部には、図２に示すような回路が納められている。この電気回路は、身体表面の電位信号を取得するための３つの電極３，４，６などを有する測定部１０と、測定部１０で測定された心電波形のデータやそのデータを処理する処理プログラムなどを記憶するメモリ１２と、測定された心電波形データを演算処理して波形特徴パラメータを抽出する解析部１４と、測定結果や解析部１４によって抽出された波形特徴パラメータなどの解析結果を表示する表示部７と、携帯型心電計測装置１の電源ＯＮ／ＯＦＦなどの制御を行う操作部１５と、これら各部間のデータのやりとりや各部の制御を行うＣＰＵ（中央制御ユニット）１３と、を備えている。
【００３４】
上述の測定部１０は、３つの電極、すなわち、第１の電極３、第２の電極４、及びＧＮＤ電極６と、これらの電極が身体に接触することにより得られる電極間の電位差を増幅する差動増幅回路１１ａと、差動増幅回路１１ａで得られた信号のノイズを除去するフィルタ回路１１ｂとを備えて構成されている。操作部１５には、この測定開始ボタン８が含まれており、この他に、不図示の操作モード選択スイッチや表示内容選択スイッチ、及び、被験者への応答を行うための音響発生装置などが含まれる。
【００３５】
上述のような携帯型心電計測装置１は、図３に示すように、バンド２ａを右腕２５に巻きつけ、面ファスナ２ｂ，２ｃを用いて固定することにより、第１の電極３を所定の押圧力で右腕２５に接触させて用いられる。
【００３６】
右腕２５に周回させて固定した携帯型心電計測装置１は、図４に示すように、装置本体２の上面に設けた第２の電極４、ＧＮＤ電極６を胸部２６に当て、測定開始ボタン８を操作することにより、測定を開始して用いられる。被験者は、測定中に表示部７を介して心電波形をモニタすることができる。携帯型心電計測装置１は、このような構成と使用法とにより、装置本体２を手で持つ必要がなく、腕に固定した装置本体２を胸部に当てるだけで済むので、力が入らず、筋起電力などによるノイズが少ない信号が得られる。
【００３７】
ここで携帯型心電計測装置１の動作の概要を述べる。被験者が携帯型心電計測装置１を上述のように保持し、測定開始ボタン８をＯＮにして心電測定を開始すると、その開始信号が操作部１５を介してＣＰＵ１３に送られ、測定開始の信号がＣＰＵ１３において検出される。すると、第１の電極３と第２の電極４のＧＮＤ電極６を基準とした電位（胸部Ｖ５誘導）が検出され、それぞれ差動増幅回路１１ａの対応する増幅器によって増幅され、フィルタ回路１１ｂによりノイズ成分が除去される。
【００３８】
上述の胸部Ｖ５誘導の測定波形データは、表示部７に表示されるとともにメモリ１２に記憶される。また、これらのデータは、ＣＰＵ１３によって解析部１４へ送られる。解析部１４は、各誘導信号波形の高さ、幅などの診断に利用できる波形特徴パラメータを抽出し、メモリ１２に格納する。所定時間の測定終了後、表示部７には、抽出された波形特徴パラメータに基づく波形の乱れ、リズムの乱れなどの標準値との比較結果などが、被験者へのメッセージとして表示される。被験者は、操作部１５によりメモリ１２に格納された波形や波形特徴パラメータから所望のデータを選択して表示部７に表示できる。
【００３９】
なお、図４に示した携帯型心電計測装置１の使用法では、胸部誘導を検出するものとなっている。第１の電極３とＧＮＤ電極６を、胸部に当てずに、左手に接触させると、左手と右手の間の誘導である第１誘導を計測することができる。
【００４０】
（第２の実施形態）
図５は本発明の第２の実施形態に係る携帯型心電計測装置１を示す。この携帯型心電計測装置１は、上述の第１の実施形態の携帯型心電計測装置１とは、バンド２ａの構成が異なり、他の電気回路等の点については上述のものと同様である。すなわち、この携帯型心電計測装置１のバンド２ａは、周回したときに外側となる外布２７と、内側となる内布２８とを袋状に縫製して構成され、その袋状の外布２７と内布２８の内部に空気袋２９を備えており、バンド２ａを身体の一部に周回した状態で空気袋２９に流体を送り込むことにより、第１の電極３が、空気袋２９の膨張力によって身体の一部に押圧されて固定されるようになっている。
【００４１】
外布２７は、伸びの少ない、例えば、ナイロンで、また、内布２８は、伸展性の高いポリウレタンなどで構成されている。第１の電極３は、内布２８に接着などの手段で固定されている。第１の電極３、第２の電極４、ＧＮＤ電極６は、所定の電位差測定ができるように装置本体２の内部で電気的に接続されている。また、空気袋２９は、膨張収縮が容易なように、ウレタンなどの材質で構成されている。さらに、装置本体２の内部には、空気袋２９に空気を送るためのポンプ３０、圧力センサ３１、排気バルブ３２が設けられており、これらはチューブなどを介して、空気袋２９と連通している。
【００４２】
この携帯型心電計測装置１の使用に際して、バンド２ａを右腕２５に巻きつけ、面ファスナ２ｂ，２ｃでこれを固定する。被験者が、装置本体２の上面に設けられた第２の電極４と、ＧＮＤ電極６を、胸部２６に当て、測定開始ボタン８を押すと、ＣＰＵ１３が排気バルブ３２が閉じ、ポンプ３０から所定量の空気が空気袋２９に送り込まれて空気袋２９が膨張する。その後、ＣＰＵ１３は、圧力センサ３１により所定の圧力の到達したこと検知して、ポンプ３０を停止させる。空気袋２９の押圧力により第２の電極４が右腕２５に接触して固定された状態で、心電の計測が行われる。
【００４３】
被験者は、測定中に表示部７で心電波形をモニタすることができる。心電測定終了後、排気バルブ３２が開き、空気袋２９の空気は大気中へ排出される。このように、第２の実施形態の携帯型心電計測装置１では、第１の電極３の固定に空気袋を用いるので、身体への固定がより確実になり、また、測定中に余分な筋起電力の発生するような力が入らないので、よりノイズの少ない信号が得られる。
【００４４】
（第３の実施形態）
図６は本発明の第３の実施形態に係る携帯型心電計測装置１を示し、図７（ａ）は同上装置１の使用状態を示し、図７（ｂ）は測定対象部の断面を示す。この携帯型心電計測装置１は、上述の第２の実施形態の携帯型心電計測装置１とは、バンド２ａの内部に設けられた空気袋２９が、手首を周回できる程度に長く、かつ、血圧を測定する機能を有し、また、第１の電極３の位置が装置本体２から離れた位置に設けられている点が異なり、他の点については同様である。すなわち、被験者が、右手首３３にバンド２ａを巻きつけ、面ファスナ２ｂ，２ｃで携帯型心電計測装置１を固定すると、第１の電極３が、上述の第２の実施形態の手掌側とは異なり、手甲側に接触する。また、装置本体２は、とう骨動脈３４、尺骨動脈３５付近に固定される。
【００４５】
被験者が、携帯型心電計測装置１を右手首３３に固定した状態で、装置本体２に設けられた第２の電極４、ＧＮＤ電極６を胸部２６に当て、測定開始ボタン８を押すと、ＣＰＵ１３が、まず排気バルブ３２を閉じ、ポンプ３０から所定量の空気が空気袋２９に送り込まれ、空気袋２９が膨張し、圧力センサ３１の指示が所定の圧力、例えば、２０ｍｍＨｇに到達した時点で心電計測を開始する。心電計測の間、空気袋２９の有する血圧測定機能によって、とう骨動脈３４、尺骨動脈３５の血圧が測定されてメモリ１２に記録される。そして、ＣＰＵ１３は、空気袋２９の圧力が１８０ｍｍＨｇに到達した時点で、ポンプ３０を停止させる。
【００４６】
次に、ＣＰＵ１３は、排気バルブ３２を少しずつ開きながらゆっくりと、例えば、５ｍｍＨｇ／ｓの速度で圧力を下げ、圧力が２０ｍｍＨｇに到達した時点で心電計測を終了させる。このとき空気袋２９で検出したとう骨動脈３４、尺骨動脈３５の血圧変動は、フィルタ回路１１ｂによって脈波成分のみが抽出された後、解析部１４によって解析され、オシロメトリック法などを用いて最高血圧、最低血圧が検出される。測定終了後、表示部７に心電の診断結果と血圧の測定結果が表示される。
【００４７】
このように、本実施形態の携帯型心電計測装置１は、空気袋２９の流体を一定速度の圧力変化で加圧又は減圧させることにより動脈から脈波情報を採取し、血圧を測定することにより１誘導の心電情報と共に血圧情報を同時に得るので、心機能の診断において被験者の状態を一層詳細に調べることが可能となる。なお、本実施例において空気袋２９と内布２８の間に所定の弾力と湾曲形状を有する弾性体板を挿入してもよい。このようにすることで手首への装着が一層簡便化される。
【００４８】
（第４の実施形態）
図８は本発明の第４の実施形態に係る携帯型心電計測装置１を示し、図９は同上装置の使用状態を示す。この携帯型心電計測装置１は、上述の第３の実施形態の携帯型心電計測装置１において、使い勝手を改良すると共に、３誘導同時計測が可能なように診断機能を増強したものであり、他の点については同様である。すなわち、第２の電極４が装置本体２から分離され、ケーブルなどで接続された別体３６に設けられている。また、第４の電極５が、もとの第２の電極４の位置に設けられている。被験者が、左手首３７にバンド２ａを巻きつけ、面ファスナ２ｂ，２ｃで携帯型心電計測装置１を固定すると、第１の電極３が手甲部付近に接触する。また、装置本体２は、とう骨動脈３４、尺骨動脈３５付近に固定される。
【００４９】
被験者が、携帯型心電計測装置１を左手首３７に固定した状態で、装置本体２に設けられた第４の電極５、ＧＮＤ電極６を胸部２６に当て、右手３８で第２の電極４を把持し、測定開始ボタン８を押すと、ＣＰＵ１３が、まず排気バルブ３２を閉じ、ポンプ３０から所定量の空気が空気袋２９に送り込まれ、空気袋２９が膨張し、圧力センサ３１の指示が所定の圧力、例えば、２０ｍｍＨｇに到達した時点で心電計測を開始する。心電計測の間、空気袋２９の有する血圧測定機能によって、とう骨動脈３４、尺骨動脈３５の血圧が測定されてメモリ１２に記録される。そして、ＣＰＵ１３は、空気袋２９の圧力が１８０ｍｍＨｇに到達した時点でポンプ３０を停止させる。
【００５０】
次に、ＣＰＵ１３は、排気バルブ３２を少しずつ開きながらゆっくりと、例えば、５ｍｍＨｇ／ｓの速度で圧力を下げ、圧力が２０ｍｍＨｇに到達した時点で心電計測を終了させる。このとき空気袋２９で検出したとう骨動脈３４、尺骨動脈３５の血圧変動は、フィルタ回路１１ｂによって脈波信号のみが抽出された後、解析部１４によって解析され、オシロメトリック法などを用いて最高血圧、最低血圧が検出される。
【００５１】
この心電計測では、左手の第１の電極３、右手の第２の電極４、胸部の第３の電極つまりＧＮＤ電極６、及び胸部の第４の電極５によって、第１誘導、第３誘導、及びＶ５誘導の３誘導、すなわち３種類の心電図の計測がなされる。
【００５２】
このように、本実施形態の携帯型心電計測装置１は、３誘導の心電情報と血圧情報が同時に得られるので、心機能の診断において被験者の状態を一層詳細に調べることが可能となる。なお、本実施例では、測定開始ボタン８を装置本体２に設けたが、別体３６に設けてもよい。これにより操作性が一層簡便になる。
【００５３】
（第５の実施形態）
図１０は本発明の第５の実施形態に係る携帯型心電計測装置で測定される心電波形と圧脈波の波形を示す。この携帯型心電計測装置１は、上述の第４の実施形態の携帯型心電計測装置１において、動脈の脈波情報に基づき脈波伝播時間を算出する機能を備えたものであり、他の点については同様である。すなわち、上述の図８、図９に示すように、被験者が、装置本体２に設けられた第４の電極５、ＧＮＤ電極６を胸部２６にあて、右手３８で第２の電極４を把持し、測定開始ボタン８を押すと、ＣＰＵ１３が、まず排気バルブ３２を閉じ、ポンプ３０から所定量の空気が空気袋２９に送り込まれ、空気袋２９が膨張し、圧力センサ３１の指示が所定の圧力、たとえば２０ｍｍＨｇに到達した時点で心電計測を開始する。
【００５４】
心電計測の間、空気袋２９の有する血圧測定機能によって、とう骨動脈３４、尺骨動脈３５の血圧が測定されてメモリ１２に記録される。そして、ＣＰＵ１３は、空気袋２９の圧力が１８０ｍｍＨｇに到達した時点でポンプ３０を停止させる。次に、ＣＰＵ１３は、排気バルブ３２を少しずつ開きながらゆっくりと、例えば、５ｍｍＨｇ／ｓの速度で圧力を下げ、圧力が２０ｍｍＨｇに到達した時点で心電計測を終了させる。
【００５５】
このとき、図１０に示すように、解析部１４は、空気袋２９の有する血圧測定機能によって検出した、例えば、４０ｍｍＨｇにおける圧脈波３９の立ち上がり時間と、第１の電極３、第２の電極４により検出される第１誘導４０のＲ波のピーク位置時間と、の時間差を計測し、脈波伝播時間４１とする。さらに、空気袋２９で検出したとう骨動脈３４、尺骨動脈３５の血圧変動は、フィルタ回路１１ｂによって脈波信号のみが抽出された後、解析部１４によって解析され、オシロメトリック法などを用いて最高血圧、最低血圧が検出される。脈波伝播時間４１は、一般に、血管の硬さを表す指標として知られている。このように、本実施形態の携帯型心電計測装置１によって計測される、心電、血圧、血管硬さに関する情報を用いることに、被験者の循環機能をより一層詳細に診断することが可能となる。
【００５６】
以上、本発明の各実施形態を説明したが、本発明の範囲はこれらに限定されるものではなく種々の変形が可能である。例えば、上述の実施形態では、バンド２ａを腕や手首に周回して装置本体２を装着する方式を説明したが、指、上腕、足に装着する方式でもよい。また、胸部誘導として、Ｖ５誘導を代表にとって説明したが、Ｖ１誘導からＶ６誘導のいずれの誘導を計測するようにしてもよい。また、第１誘導、第３誘導、Ｖ５誘導の３誘導の計測例を示したが、これら以外の誘導の組み合わせとしてもよい。また、上記のすべての実施形態において、胸部電極として用いる第２の電極４、第３の電極５、ＧＮＤ電極６として、導電性ゴムを用いてもよい。こうすることにより、これらの電極を胸部に接触させたときの冷たさがなくなり、温度差からくる違和感によって引き起こされた不整脈が現れるということを防止できるので、より正確な診断を行うことができる。また、これらの胸部電極の裏側に保温用の電熱ヒータを設けてもよい。さらに、上記の各実施形態のすべてを組み合わせた構成としてもよい。
【図面の簡単な説明】
【００５７】
【図１】（ａ）は本発明の第１の実施形態に係る携帯型心電計測装置についての内側面の平面図、（ｂ）は同装置の側面図、（ｃ）は同装置の外側面の平面図。
【図２】同上装置の回路ブロック図。
【図３】同上装置の使用方法を説明する側面図。
【図４】同上装置の使用状態を示す側面図。
【図５】本発明の第２の実施形態に係る携帯型心電計測装置の一部断面の側面図。
【図６】本発明の第３の実施形態に係る携帯型心電計測装置の一部断面の側面図。
【図７】（ａ）は同上装置の使用状態を示す側面図、（ｂ）は（ａ）の状態における測定対象部の断面図。
【図８】本発明の第４の実施形態に係る携帯型心電計測装置の一部断面の側面図。
【図９】同上装置の使用状態を示す側面図。
【図１０】本発明の第５の実施形態に係る携帯型心電計測装置で測定される心電波形と圧脈波の波形図。
【図１１】一般的な心電波形図。
【図１２】従来の携帯型心電計測装置の使用状態の上面図.
【図１３】心臓の活動電位の説明図。
【符号の説明】
【００５８】
１    携帯型心電計測装置
２    装置本体
３    第１の電極
４    第２の電極
５    第４の電極
６    第３の電極（ＧＮＤ電極）
７    表示部
１４    解析部
２３    バンド
２９    空気袋（流体袋）
【図１】
2007195693.tif 000003
【図２】
2007195693.tif 000004
【図３】
2007195693.tif 000005
【図４】
2007195693.tif 000006
【図５】
2007195693.tif 000007
【図６】
2007195693.tif 000008
【図７】
2007195693.tif 000009
【図８】
2007195693.tif 000010
【図９】
2007195693.tif 000011
【図１０】
2007195693.tif 000012
【図１１】
2007195693.tif 000013
【図１２】
2007195693.tif 000014
【図１３】
2007195693.tif 000015